(57)【要約】【課題】  ファンの駆動電圧を必要最小限の値に設定すること。【解決手段】  Ｓ１０５でファン４０１が回転していないと判断された場合、Ｓ１１２に移行する。次に、ファン４０１の駆動開始電圧Ｖｓを設定する（Ｓ１１２）。Ｓ１１２の詳細は、図７を用いて後述する。  Ｓ１０８でファン４０１が回転していないと判断された場合、Ｓ１１３に移行する。次に、ファン４０１の駆動維持電圧Ｖｋを設定する（Ｓ１１３）。Ｓ１１３の詳細は、図８を用いて後述する。【選択図】  図６
2010102102.tif 000002
【特許請求の範囲】
【請求項１】
画像形成手段を有する画像形成装置であって、
前記画像形成装置の内外の空気を入れ替えるファンと、
前記ファンに対して電圧を印加する印加手段と、
前記ファンが回転しているか否かを判断する判断手段と、
前記ファンが回転していない状態から前記印加手段により前記ファンに対して印加する電圧を増加させ、前記判断手段により前記ファンが回転していると判断された場合に前記印加手段により前記ファンに対して印加していた電圧を前記ファンの駆動を開始させるための駆動開始電圧として設定する設定手段と、
前記設定手段により設定された駆動開始電圧を記憶する記憶手段と、
前記記憶手段により記憶された駆動開始電圧を前記ファンに対して印加することにより前記ファンの駆動を開始させるよう前記印加手段を制御する制御手段とを有することを特徴とする画像形成装置。
【請求項２】
前記設定手段は、前記ファンが回転していない状態から前記印加手段により前記ファンに対して印加する電圧を所定の量ごとに増加させることを特徴とする請求項１に記載の画像形成装置。
【請求項３】
前記制御手段は、前記ファンに対して前記駆動開始電圧を印加することにより前記ファンの駆動を開始させることができなかった場合、前記駆動開始電圧より高い電圧を新たな駆動開始電圧として設定させるよう前記設定手段を制御することを特徴とする請求項１又は２に記載の画像形成装置。
【請求項４】
前記ファンは、前記画像形成装置の内から外へ空気を送り出すことを特徴とする請求項１乃至３のいずれかに記載の画像形成装置。
【請求項５】
前記ファンは、前記画像形成装置の外から内へ空気を送り出すことを特徴とする請求項１乃至３のいずれかに記載の画像形成装置。
【請求項６】
画像形成手段を有する画像形成装置であって、
前記画像形成装置の内外の空気を入れ替えるファンと、
前記ファンに対して電圧を印加する印加手段と、
前記ファンが回転しているか否かを判断する判断手段と、
前記ファンが回転している状態から前記印加手段により前記ファンに対して印加する電圧を減少させ、前記判断手段により前記ファンが回転していないと判断された場合に前記印加手段により前記ファンに対して印加していた電圧より高い電圧を前記ファンの駆動を維持させるための駆動維持電圧として設定する設定手段と、
前記設定手段により設定された駆動維持電圧を記憶する記憶手段と、
前記記憶手段により記憶された駆動維持電圧を前記ファンに対して印加することにより前記ファンの駆動を維持させるよう前記印加手段を制御する制御手段とを有することを特徴とする画像形成装置。
【請求項７】
前記設定手段は、前記ファンが回転している状態から前記印加手段により前記ファンに対して印加する電圧を所定の量ごとに減少させることを特徴とする請求項６に記載の画像形成装置。
【請求項８】
前記制御手段は、前記ファンに対して前記駆動維持電圧を印加することにより前記ファンの駆動を維持させることができなかった場合、前記駆動維持電圧より高い電圧を新たな駆動維持電圧として設定させるよう前記設定手段を制御することを特徴とする請求項６又は７に記載の画像形成装置。
【請求項９】
前記ファンは、前記画像形成装置の内から外へ空気を送り出すことを特徴とする請求項６乃至８のいずれかに記載の画像形成装置。
【請求項１０】
前記ファンは、前記画像形成装置の外から内へ空気を送り出すことを特徴とする請求項６乃至８のいずれかに記載の画像形成装置。
【請求項１１】
画像形成手段とファンとを有する画像形成装置の制御方法であって、
前記ファンに対して電圧を印加する印加工程と、
前記ファンが回転しているか否かを判断する判断工程と、
前記ファンが回転していない状態から前記印加工程により前記ファンに対して印加する電圧を増加させ、前記判断工程により前記ファンが回転していると判断された場合に前記印加工程により前記ファンに対して印加していた電圧を前記ファンの駆動を開始させるための駆動開始電圧として設定する設定工程と、
前記設定工程により設定された駆動開始電圧を記憶する記憶工程と、
前記記憶工程により記憶された駆動開始電圧を前記ファンに対して印加することにより前記ファンの駆動を開始させるよう前記印加工程を制御する制御工程とを有することを特徴とする制御方法。
【請求項１２】
画像形成手段とファンとを有する画像形成装置の制御方法であって、
前記ファンに対して電圧を印加する印加工程と、
前記ファンが回転しているか否かを判断する判断工程と、
前記ファンが回転している状態から前記印加工程により前記ファンに対して印加する電圧を減少させ、前記判断工程により前記ファンが回転していないと判断された場合に前記印加工程により前記ファンに対して印加していた電圧より高い電圧を前記ファンの駆動を維持させるための駆動維持電圧として設定する設定工程と、
前記設定工程により設定された駆動維持電圧を記憶する記憶工程と、
前記記憶工程により記憶された駆動維持電圧を前記ファンに対して印加することにより前記ファンの駆動を維持させるよう前記印加工程を制御する制御工程とを有することを特徴とする制御方法。
【発明の詳細な説明】
【技術分野】
【０００１】
本発明は、画像形成装置及び画像形成装置の制御方法に関するものである。
【背景技術】
【０００２】
画像形成装置は、ファンを用いて空気を内部から外部へ排出することにより、機体を冷却している。
【０００３】
一般的に、ファンの駆動は、ファンに対して所定の電圧を与え続けることにより実現する。しかし、ファンの駆動を維持するために必要な電圧（駆動維持電圧）は、ファンの駆動を開始させるために必要な電圧（駆動開始電圧）より低くなっている。このため、ファンに対して駆動開始電圧を上回る電圧を常に与え続けることとすると、無駄な電力を消費してしまう。
【０００４】
これに対して、特許文献１に記載された発明が存在する。特許文献１には、所定の電圧でファンの駆動を開始させた後、ファンの駆動を開始させたときの電圧より低い所定の電圧でファンの駆動を維持する発明が記載されている。
【特許文献１】特開平１０−９１９１
【発明の開示】
【発明が解決しようとする課題】
【０００５】
ファンは、個体差や経年変化により、駆動開始電圧や駆動維持電圧が変化する。
【０００６】
特許文献１に記載された発明では、ファンの駆動を開始させる電圧やファンの駆動を維持させる電圧は常に所定の値となる。そのため、特許文献１に記載された発明では、ファンに対して適切な駆動電圧を設定することができなかった。
【０００７】
本発明は、ファンの回転を開始させるための駆動開始電圧をファンの回転を開始するために必要な最小限の値に設定することで、ファンの回転を開始させる際の消費電力を低減させることを目的とする。
【０００８】
また、本発明は、ファンの回転を維持させるための駆動維持電圧をファンの回転を維持するために必要な最小限の値に設定することで、ファンの回転を維持する際の消費電力を低減させることを目的とする。
【課題を解決するための手段】
【０００９】
本発明に係る画像形成装置は、画像形成手段を有する画像形成装置であって、前記画像形成装置の内外の空気を入れ替えるファンと、前記ファンに対して電圧を印加する印加手段と、前記ファンが回転しているか否かを判断する判断手段と、前記ファンが回転していない状態から前記印加手段により前記ファンに対して印加する電圧を増加させ、前記判断手段により前記ファンが回転していると判断された場合に前記印加手段により前記ファンに対して印加していた電圧を前記ファンの駆動を開始させるための駆動開始電圧として設定する設定手段と、前記設定手段により設定された駆動開始電圧を記憶する記憶手段と、前記記憶手段により記憶された駆動開始電圧を前記ファンに対して印加することにより前記ファンの駆動を開始させるよう前記印加手段を制御する制御手段とを有することを特徴とする。
【００１０】
また、本発明に係る画像形成装置は、画像形成手段を有する画像形成装置であって、前記画像形成装置の内外の空気を入れ替えるファンと、前記ファンに対して電圧を印加する印加手段と、前記ファンが回転しているか否かを判断する判断手段と、前記ファンが回転している状態から前記印加手段により前記ファンに対して印加する電圧を減少させ、前記判断手段により前記ファンが回転していないと判断された場合に前記印加手段により前記ファンに対して印加していた電圧より高い電圧を前記ファンの駆動を維持させるための駆動維持電圧として設定する設定手段と、前記設定手段により設定された駆動維持電圧を記憶する記憶手段と、前記記憶手段により記憶された駆動維持電圧を前記ファンに対して印加することにより前記ファンの駆動を維持させるよう前記印加手段を制御する制御手段とを有することを特徴とする。
【００１１】
また、本発明に係る画像形成装置の制御方法は、画像形成手段とファンとを有する画像形成装置の制御方法であって、前記ファンに対して電圧を印加する印加工程と、前記ファンが回転しているか否かを判断する判断工程と、前記ファンが回転していない状態から前記印加工程により前記ファンに対して印加する電圧を増加させ、前記判断工程により前記ファンが回転していると判断された場合に前記印加工程により前記ファンに対して印加していた電圧を前記ファンの駆動を開始させるための駆動開始電圧として設定する設定工程と、前記設定工程により設定された駆動開始電圧を記憶する記憶工程と、前記記憶工程により記憶された駆動開始電圧を前記ファンに対して印加することにより前記ファンの駆動を開始させるよう前記印加工程を制御する制御工程とを有することを特徴とする。
【００１２】
また、本発明に係る画像形成装置の制御方法は、画像形成手段とファンとを有する画像形成装置の制御方法であって、前記ファンに対して電圧を印加する印加工程と、前記ファンが回転しているか否かを判断する判断工程と、前記ファンが回転している状態から前記印加工程により前記ファンに対して印加する電圧を減少させ、前記判断工程により前記ファンが回転していないと判断された場合に前記印加工程により前記ファンに対して印加していた電圧より高い電圧を前記ファンの駆動を維持させるための駆動維持電圧として設定する設定工程と、前記設定工程により設定された駆動維持電圧を記憶する記憶工程と、前記記憶工程により記憶された駆動維持電圧を前記ファンに対して印加することにより前記ファンの駆動を維持させるよう前記印加工程を制御する制御工程とを有することを特徴とする。
【発明の効果】
【００１３】
本発明によれば、ファンの回転を開始させるための駆動開始電圧をファンの回転を開始するために必要な最小限の値に設定することで、ファンの回転を開始させる際の消費電力を低減させることができる。
【００１４】
また、本発明によれば、ファンの回転を維持させるための駆動維持電圧をファンの回転を維持するために必要な最小限の値に設定することで、ファンの回転を維持する際の消費電力を低減させることができる。
【発明を実施するための最良の形態】
【００１５】
〔第１の実施形態〕
図１は、システムの構成を示す図である。
【００１６】
１０１は、ＰＣである。１０２は、プリンタである。１０３は、ネットワークである。ＰＣ１０１とプリンタ１０２は、ネットワーク１０３により接続され、画像データ等のデータの伝送が行われる。なお、ＰＣ１０１とプリンタ１０２の接続はローカル接続でもよい。
【００１７】
図２は、プリンタ１０２の構成を示すブロック図である。
【００１８】
２０１は、制御部であり、プリンタ１０２の各構成２０２〜２０４を制御する。制御部２０１の詳細は、図６を用いて後述する。２０２は、操作部であり、表示部と入力部とを有し、表示部によりユーザーにプリンタ１０２の操作画面を提供するとともに、入力部によりユーザーからプリンタ１０２に対する各種操作を受け付ける。２０３は、読取部であり、原稿から画像データを読み取り、制御部２０１に入力する。２０４は、印刷部であり、制御部２０１により画像処理を実行された画像データに基づいて、出力用紙に画像形成を実行する。２０５は、送風部であり、印刷部２０４に対して送風を行うことにより印刷部２０４の温度を冷却する。送風部２０５の詳細は、図４を用いて後述する。
【００１９】
図３は、制御部２０１の詳細を示すブロック図である。
【００２０】
３０１はＣＰＵであり、ＲＡＭ３０３に展開されたプログラムに基づき、プリンタ１０２の各構成２０２〜２０４や制御部２０１の各構成３０２〜３０７を制御する。３０２はＲＯＭ（不揮発性記憶媒体）であり、ＣＰＵ３０１が実行するブートプログラム等を記憶する。３０３はＲＡＭ（揮発性記憶媒体）であり、ＣＰＵ３０１が実行するＯＳやアプリケーションのプログラム等がＨＤＤ３０４から展開される。３０４はＨＤＤ（不揮発性記憶媒体）であり、ＣＰＵ３０１が実行するＯＳやアプリケーションのプログラム等を記憶する。３０５はイメージプロセッサであり、イメージメモリ３０６に記憶された画像データに対して各種画像処理を実行する。３０６はイメージメモリ（揮発性記憶媒体）であり、読取部２０３やネットワークインターフェース３０７から入力された画像データを一時的に保持する。３０７はネットワークインターフェースであり、ＰＣ１０１等の外部装置から画像データ等の入出力を行う。
【００２１】
図１３は、印刷部２０４の詳細とファン４０１の取付位置を示す断面図である。
【００２２】
図１３に示すように、ファン４０１は定着部５０５の近傍に取り付けられ、空気を印刷部２０４の内部から外部へ排出する。
【００２３】
５０１〜５０５が画像形成を実行する部分であり、５０６〜５１０が用紙搬送を実行する部分である。５０１は感光体であり、用紙上に現像剤像を転写する。５０２は帯電部であり、感光体５０１を帯電させる。５０３は露光部であり、帯電した感光体５０１上にレーザー等の照射光により露光を行って静電潜像を生成する。５０４は現像部であり、トナー等の現像剤を用いて感光体５０１上に生成された静電潜像を現像し現像剤像を生成する。５０５は定着部であり、感光体５０１により用紙上に転写された現像剤像を用紙に定着する。５０６は、印刷前の用紙を保持する給紙トレイである。５０７は、給紙トレイ５０６から用紙を給紙する給紙ローラーである。５０８は、機内で用紙を搬送する搬送ローラーである。５０９は、排紙トレイ５１０に用紙を排紙するための排紙ローラーである。５１０は、印刷後の用紙を保持する排紙トレイである。
【００２４】
印刷部２０４における印刷処理は、ＣＰＵ３０１の制御によって下記のように実行される。まず、帯電部５０２により帯電された感光体５０１上に、露光部５０３が静電潜像を生成し、現像部５０４がトナー等の現像剤により静電潜像を現像し現像剤像を生成する。次に、給紙トレイ５０６の用紙が、給紙ローラー５０７の給紙動作により給紙される。次に、感光体５０１により用紙上に現像剤像が転写され、定着部５０５により用紙上に現像剤像が定着される。次に、定着部５０５により現像剤像が定着された用紙が、排紙ローラー５０９の排紙動作により排紙トレイ５１０に排紙される。
【００２５】
図４は、送風部２０５の詳細を示す図である。
【００２６】
４０１は、ファンであり、空気を印刷部２０４の内部から外部へ排出することにより、印刷部２０４の温度を冷却する。４０２は、ファン駆動トランジスタであり、ファン４０１を駆動する。４０３は、出力可変レギュレータであり、ファン４０１に印加する電源電圧を出力する。４０４は、抵抗であり、出力可変レギュレータ４０３の出力電圧を決定する。４０５は、抵抗であり、出力可変レギュレータ４０３の出力電圧を決定する。４０６は、トランジスタであり、出力可変レギュレータ４０３の出力電圧を変更する。４０７は、抵抗であり、トランジスタ４０６と接続され出力可変レギュレータ４０３の出力を変更する。４０８は、トランジスタであり、出力可変レギュレータ４０３の出力電圧を変更する。４０９は、抵抗であり、トランジスタ４０８と接続され出力可変レギュレータ４０３の出力を変更する。４１０は、トランジスタであり、出力可変レギュレータ４０３の出力電圧を変更する。４１１は、抵抗であり、トランジスタ４１０と接続され出力可変レギュレータ４０３の出力を変更する。４１２は、ロック信号であり、ファン４０１がロックしたことを示す。ロック信号４１２は、プリンタ１０２の内部バスを介して、送風部２０５から制御部２０１のＣＰＵ３０１に入力される。ファン４０１がロックしている場合、送風部２０５から制御部２０１のＣＰＵ３０１にＨｉのロック信号４１２が入力される。なお、ロック信号４１２をアクティブローとして、ファン４０１がロックしている場合、Ｌｏｗのロック信号４１２が入力されてもよい。４１３は、出力可変レギュレータ４０３にてフィードバック制御を行う為の接続線である。４１４は、図示しない電源との接続線である。４１５〜４１８は、制御部２０１の図示しないＩ／Ｏポートとの接続線である。
【００２７】
本実施形態において、送風部２０５は空気を印刷部２０４の内部から外部へ排出するものとした。しかし、送風部２０５は空気を印刷部２０４の外部から内部へ取り込むものとしてもよい。つまり、送風部２０５は空気を印刷部２０４の内外で入れ替えるものである。また、送風部２０５は空気をプリンタ１０２の内外で入れ替えるものとしてもよい。また、送風部２０５は印刷部２０４の構成５０１〜５１０に対して送風を行うものとしてもよい。
【００２８】
図５は、トランジスタ４０６，４０８，４１０のオンオフの組み合わせとファン４０１に与えられる電圧との対応を示す図である。
【００２９】
図５において、１は対応するトランジスタがオンになっている状態を、０は対応するトランジスタがオフになっている状態を示している。ファン４０１に与えられる電圧は、トランジスタ４０６，４０８，４１０のオンオフの組み合わせにより、Ｖ１〜Ｖ８（Ｖ１＜Ｖ２＜Ｖ３＜Ｖ４＜Ｖ５＜Ｖ６＜Ｖ７＜Ｖ８）と変化する。
【００３０】
図６は、プリンタ１０２の制御を示すフローチャートである。なお、このフローチャートに示す制御は、ＣＰＵ３０１がＨＤＤ３０４に記憶されたプログラムをＲＡＭ３０３に読み出し実行することにより実現される。
【００３１】
まず、プリンタ１０２の電源がオンになったか否かを判断する（Ｓ１０１）。Ｓ１０１でプリンタ１０２の電源がオンになったと判断された場合、Ｓ１０２に移行する。Ｓ１０１でプリンタ１０２の電源がオンになっていないと判断された場合、プリンタ１０２の電源がオンになるまで待機する。
【００３２】
次に、プリンタ１０２の初期設定（後述するファンの駆動開始電圧Ｖｓとファンの駆動維持電圧Ｖｋ）が設定済であるか否かを判断する（Ｓ１０２）。Ｓ１０２でプリンタ１０２の初期設定が設定済であると判断された場合、Ｓ１０３に移行する。Ｓ１０２でプリンタ１０２の初期設定が設定済でないと判断された場合、Ｓ１１２に移行する。
【００３３】
次に、読取部２０３又はネットワークインターフェース３０７により、プリンタ１０２に対して印刷ジョブが入力されたか否かを判断する（Ｓ１０３）。Ｓ１０３でプリンタ１０２に対して印刷ジョブが入力されたと判断された場合、Ｓ１０４に移行する。Ｓ１０３でプリンタ１０２に対して印刷ジョブが入力さていないと判断された場合、プリンタ１０２に対して印刷ジョブが入力されるまで待機する。
【００３４】
印刷ジョブとは、印刷動作を伴うジョブつまりコピーやプリントのことをいう。なお、ジョブには、コピー・プリント・ＦＡＸ・ＳＥＮＤ・ＢＯＸ等が含まれる。コピーとは、読取部２０３により読み取った画像データを、印刷部２０４により印刷することである。プリントとは、ネットワークインターフェース３０７によりＰＣ１０１から受信した画像データを、印刷部２０４により印刷することである。ＦＡＸとは、読取部２０３により読み取った画像データ等を、電話回線を用いて送受信することである。ＳＥＮＤとは、読取部２０３により読み取った画像データ等を、ネットワークを用いて送受信することである。ＢＯＸとは、読取部２０３により読み取った画像データ等を、ＨＤＤ３０４等の記憶媒体に記憶することである。
【００３５】
次に、ファン４０１に駆動開始電圧Ｖｓを与えることにより、ファン４０１の駆動を開始させる（Ｓ１０４）。
【００３６】
次に、Ｓ１０４でファン４０１に与えた駆動開始電圧Ｖｓにより、ファン４０１が回転しているか否かを判断する（Ｓ１０５）。Ｓ１０５でファン４０１が回転していると判断された場合、Ｓ１０６に移行する。Ｓ１０５でファン４０１が回転していないと判断された場合、Ｓ１１２に移行する。
【００３７】
次に、ファン４０１の回転が安定しているか否かを判断する（Ｓ１０６）。Ｓ１０６でファン４０１の回転が安定していると判断された場合、Ｓ１０７に移行する。Ｓ１０６でファン４０１の回転が安定していないと判断された場合、Ｓ１０５に移行する。
【００３８】
次に、ファン４０１に駆動維持電圧Ｖｋを与えることにより、ファン４０１の駆動を維持させる（Ｓ１０７）。
【００３９】
次に、Ｓ１０７でファン４０１に与えた駆動維持電圧Ｖｋにより、ファン４０１が回転しているか否かを判断する（Ｓ１０８）。Ｓ１０８において、ＣＰＵ３０１は、ロック信号４１２がＨｉの場合に、ファン４０１がロックしている（回転していない）と判断する。なお、ロック信号４１２をアクティブローとして、ロック信号４１２がＬｏｗの場合に、ファン４０１がロックしている（回転していない）と判断してもよい。Ｓ１０８でファン４０１が回転していると判断された場合、Ｓ１０９に移行する。Ｓ１０８でファン４０１が回転していないと判断された場合、Ｓ１１３に移行する。
【００４０】
次に、印刷部２０４により、Ｓ１０３で入力した印刷ジョブが終了したか否かを判断する（Ｓ１０９）。Ｓ１０９で印刷ジョブが終了したと判断された場合、Ｓ１１０に移行する。Ｓ１０９で印刷ジョブが終了していないと判断された場合、Ｓ１０８に移行する。
【００４１】
次に、ファン４０１に与えていた電圧を０とすることにより、ファン４０１の駆動を停止させる（Ｓ１１０）。
【００４２】
次に、プリンタ１０２の電源がオフになったか否かを判断する（Ｓ１１１）。Ｓ１１１でプリンタ１０２の電源がオフになったと判断された場合、制御を終了する。Ｓ１１１でプリンタ１０２の電源がオフになっていないと判断された場合、Ｓ１０２に移行する。
【００４３】
Ｓ１０２でプリンタ１０２の初期設定が設定済でないと判断された場合、次の制御を実行する。
【００４４】
まず、ファン４０１の駆動開始電圧Ｖｓを設定する（Ｓ１１２）。Ｓ１１２の詳細は、図７を用いて後述する。
【００４５】
次に、ファン４０１の駆動維持電圧Ｖｋを設定する（Ｓ１１３）。Ｓ１１３の詳細は、図８を用いて後述する。
【００４６】
本実施形態において、ファンはジョブの入力から終了までの間に駆動するものとした。しかし、ファンはプリンタの電源オンから電源オフまでの間に駆動するものとしてもよい。
【００４７】
本実施形態において、ファンの駆動開始電圧や駆動維持電圧はそれぞれ１種類設定した。しかし、ファンの駆動開始電圧や駆動維持電圧はそれぞれ複数種類設定してもよい（例えば、プリント実行時にファンを高速回転させる電圧とプリント待機時にファンを低速回転させる電圧等。）。
【００４８】
図７は、Ｖｓの設定Ｓ１１２の詳細を示すフローチャートである。
【００４９】
まず、ｎに１を代入する（Ｓ２０１）。
【００５０】
次に、ファン４０１に駆動開始電圧Ｖｎを与えることにより、ファン４０１の駆動を開始させる（Ｓ２０２）。
【００５１】
次に、Ｓ２０２でファン４０１に与えた駆動開始電圧Ｖｎにより、ファン４０１が回転しているか否かを判断する（Ｓ２０３）。Ｓ２０３でファン４０１が回転していると判断された場合、Ｓ２０４に移行する。Ｓ２０３でファン４０１が回転していないと判断された場合、Ｓ２０６に移行する。
【００５２】
Ｓ２０３でファン４０１が回転していると判断された場合、Ｖｓの値を、Ｓ２０３でファン４０１が回転していると判断されたときのｎに対応するＶｎの値に設定する（Ｓ２０４）。
【００５３】
次に、ファン４０１に与えていた電圧を０とすることにより、ファン４０１の駆動を停止させる（Ｓ２０５）。
【００５４】
Ｓ２０３でファン４０１が回転していないと判断された場合、ｎの値をインクリメントする（Ｓ２０６）。
【００５５】
次に、Ｓ２０６でインクリメントした後のｎの値が８以下であるか否かを判断する（Ｓ２０７）。Ｓ２０７でｎの値が８以下であると判断された場合、Ｓ２０２に移行する。Ｓ２０７でｎの値が８以下でないと判断された場合、Ｓ２０８に移行する。
【００５６】
Ｓ２０７でｎの値が８以下でないと判断された場合、ユーザーに対して、ファンが駆動できない旨のエラーを通知する（Ｓ２０８）。Ｓ２０８の後、Ｓ２０５に移行する。
【００５７】
図８は、Ｖｋの設定Ｓ１１３の詳細を示すフローチャートである。
【００５８】
まず、ｎにｓ−１を代入する（Ｓ３０１）。
【００５９】
次に、ファン４０１に駆動開始電圧Ｖｓを与えることにより、ファン４０１の駆動を開始させる（Ｓ３０２）。
【００６０】
次に、ファン４０１の回転が安定しているか否かを判断する（Ｓ３０３）。Ｓ３０３でファン４０１の回転が安定していると判断された場合、Ｓ３０４に移行する。Ｓ３０３でファン４０１の回転が安定していないと判断された場合、ファン４０１の回転が安定するまで待機する。
【００６１】
次に、ファン４０１に駆動維持電圧Ｖｎを与えることにより、ファン４０１の駆動を維持させる（Ｓ３０４）。
【００６２】
次に、Ｓ３０４でファン４０１に与えた駆動維持電圧Ｖｎにより、ファン４０１が回転しているか否かを判断する（Ｓ３０５）。Ｓ３０５でファン４０１が回転していると判断された場合、Ｓ３０８に移行する。Ｓ３０５でファン４０１が回転していないと判断された場合、Ｓ３０６に移行する。
【００６３】
Ｓ３０５でファン４０１が回転していないと判断された場合、Ｖｋの値を、Ｓ３０５でファン４０１が回転していないと判断されたときのｎに１を加算した値に対応するＶｎの値に設定する（Ｓ３０６）。
【００６４】
次に、ファン４０１に与えていた電圧を０とすることにより、ファン４０１の駆動を停止させる（Ｓ３０７）。
【００６５】
Ｓ３０５でファン４０１が回転していると判断された場合、ｎの値をデクリメントする（Ｓ３０８）。
【００６６】
次に、Ｓ３０８でデクリメントした後のｎの値が１以上であるか否かを判断する（Ｓ３０９）。Ｓ３０９でｎの値が１以上であると判断された場合、Ｓ３０４に移行する。Ｓ３０９でｎの値が１以上でないと判断された場合、Ｓ３１０に移行する。
【００６７】
Ｓ３０９でｎの値が１以上でないと判断された場合、Ｖｋの値を、Ｖ１の値に設定する（Ｓ３１０）。Ｓ３１０の後、Ｓ３０７に移行する。
【００６８】
図９は、プリンタ１０２の制御とファンに与えられる電圧及びファンから検出されるロック信号との関係を示すタイムチャートである。図９（Ａ）はプリンタ１０２の制御とファンに与えられる電圧との関係を示しており、図９（Ｂ）はプリンタ１０２の制御とファンから検出されるロック信号との関係を示している。
【００６９】
ｔ１〜ｔ２の間は、Ｓ１１２（ファン４０１に印加する電圧を増加させ駆動開始電圧Ｖｓを設定しているとき）に対応する。ｔ２〜ｔ３の間は、Ｓ１１３（ファン４０１印加する電圧を減少させ駆動維持電圧Ｖｋを設定しているとき）に対応する。ｔ４〜ｔ５の間は、Ｓ１０４〜Ｓ１０６（ファン４０１に駆動開始電圧Ｖｓを印加することによりファンを駆動しているとき）に対応する。ｔ５〜ｔ６の間は、Ｓ１０７〜Ｓ１０９（ファン４０１に駆動維持電圧Ｖｋを印加することによりファンを駆動しているとき）に対応する。
【００７０】
本実施形態により、ファンの駆動開始電圧や駆動維持電圧を、ファンの個体差や経年変化に応じて適切に設定することが可能となる。
【００７１】
〔第２の実施形態〕
第１の実施形態では、ファンの駆動開始電圧と駆動維持電圧とを別々に設定した。これに対し、第２の実施形態では、ファンの駆動電圧と駆動維持電圧とを所定の値で組み合わせた駆動電圧パターンを設け、その中から適切な駆動電圧パターンを設定する。
【００７２】
第２実施形態に係る装置の構成等は、図１〜図５を用いて説明した第１の実施形態に係るものと同様であるため、説明を省略する。
【００７３】
図１０は、プリンタ１０２の制御を示すフローチャートである。なお、このフローチャートに示す制御は、ＣＰＵ３０１がＨＤＤ３０４に記憶されたプログラムをＲＡＭ３０３に読み出し実行することにより実現される。
【００７４】
まず、プリンタ１０２の電源がオンになったか否かを判断する（Ｓ４０１）。Ｓ４０１でプリンタ１０２の電源がオンになったと判断された場合、Ｓ４０２に移行する。Ｓ４０１でプリンタ１０２の電源がオンになっていないと判断された場合、プリンタ１０２の電源がオンになるまで待機する。
【００７５】
次に、プリンタ１０２の初期設定（後述するファンの駆動電圧パターン）が設定済であるか否かを判断する（Ｓ４０２）。Ｓ４０２でプリンタ１０２の初期設定が設定済であると判断された場合、Ｓ４０３に移行する。Ｓ４０２でプリンタ１０２の初期設定が設定済でないと判断された場合、Ｓ４１２に移行する。
【００７６】
次に、読取部２０３又はネットワークインターフェース３０７により、プリンタ１０２に対して印刷ジョブが入力されたか否かを判断する（Ｓ４０３）。Ｓ４０３でプリンタ１０２に対して印刷ジョブが入力されたと判断された場合、Ｓ４０４に移行する。Ｓ４０３でプリンタ１０２に対して印刷ジョブが入力さていないと判断された場合、プリンタ１０２に対して印刷ジョブが入力されるまで待機する。
【００７７】
次に、ファン４０１に駆動開始電圧Ｖｓを与えることにより、ファン４０１の駆動を開始させる（Ｓ４０４）。
【００７８】
次に、Ｓ４０４でファン４０１に与えた駆動開始電圧Ｖｓにより、ファン４０１が回転しているか否かを判断する（Ｓ４０５）。Ｓ４０５でファン４０１が回転していると判断された場合、Ｓ４０６に移行する。Ｓ４０５でファン４０１が回転していないと判断された場合、Ｓ４１２に移行する。
【００７９】
次に、ファン４０１の回転が安定しているか否かを判断する（Ｓ４０６）。Ｓ４０６でファン４０１の回転が安定していると判断された場合、Ｓ４０７に移行する。Ｓ４０６でファン４０１の回転が安定していないと判断された場合、Ｓ４０５に移行する。
【００８０】
次に、ファン４０１に駆動維持電圧Ｖｋを与えることにより、ファン４０１の駆動を維持させる（Ｓ４０７）。
【００８１】
次に、Ｓ４０７でファン４０１に与えた駆動維持電圧Ｖｋにより、ファン４０１が回転しているか否かを判断する（Ｓ４０８）。Ｓ４０８でファン４０１が回転していると判断された場合、Ｓ４０９に移行する。Ｓ４０８でファン４０１が回転していないと判断された場合、Ｓ４１３に移行する。
【００８２】
次に、印刷部２０４により、Ｓ４０３で入力した印刷ジョブが終了したか否かを判断する（Ｓ４０９）。Ｓ４０９で印刷ジョブが終了したと判断された場合、Ｓ４１０に移行する。Ｓ４０９で印刷ジョブが終了していないと判断された場合、Ｓ４０８に移行する。
【００８３】
次に、ファン４０１に与えていた電圧を０とすることにより、ファン４０１の駆動を停止させる（Ｓ４１０）。
【００８４】
次に、プリンタ１０２の電源がオフになったか否かを判断する（Ｓ４１１）。Ｓ４１１でプリンタ１０２の電源がオフになったと判断された場合、制御を終了する。Ｓ４１１でプリンタ１０２の電源がオフになっていないと判断された場合、Ｓ４０２に移行する。
【００８５】
Ｓ４０２でプリンタ１０２の初期設定が設定済でないと判断された場合、ファンの駆動電圧パターンｐを設定する（Ｓ４１２）。Ｓ４１２の詳細は、図１１を用いて後述する。
【００８６】
図１１は、ｐの設定Ｓ４１２の詳細を示すフローチャートである。
【００８７】
まず、ｎに１を代入する（Ｓ５０１）。
次に、図１２に示す駆動電圧パターンｐのうち、ｐがｎの場合に対応する駆動開始電圧Ｖｓと駆動維持電圧Ｖｋを、駆動電圧パターンｐとして設定する（Ｓ５０２）。
【００８８】
図１２は、トランジスタに与える駆動電圧パターンｐと駆動開始電圧Ｖｓ，駆動維持電圧Ｖｋの組み合わせとの対応を示す図である。
【００８９】
図１２において、ｐはトランジスタに与える駆動電圧のパターンを、Ｖｓはトランジスタの駆動を開始するための駆動開始電圧を、Ｖｋはトランジスタの駆動を維持するための駆動維持電圧を示している。図１２に示すように、トランジスタに与える駆動電圧パターンｐが増加することに伴い、それに対応する駆動開始電圧Ｖｓ，駆動維持電圧Ｖｋも増加していく。
【００９０】
次に、ファン４０１にＳ５０２で設定した駆動電圧パターンｐに対応する駆動開始電圧Ｖｓを与えることにより、ファン４０１の駆動を開始させる（Ｓ５０３）。
【００９１】
次に、Ｓ５０３でファン４０１に与えた駆動開始電圧Ｖｓにより、ファン４０１が回転しているか否かを判断する（Ｓ５０４）。Ｓ５０４でファン４０１が回転していると判断された場合、Ｓ５０５に移行する。Ｓ５０４でファン４０１が回転していないと判断された場合、Ｓ５１０に移行する。
【００９２】
次に、ファン４０１の回転が安定しているか否かを判断する（Ｓ５０５）。Ｓ５０５でファン４０１の回転が安定していると判断された場合、Ｓ５０６に移行する。Ｓ５０５でファン４０１の回転が安定していないと判断された場合、Ｓ５０４に移行する。
【００９３】
Ｓ５０５でファン４０１の回転が安定していると判断された場合、ファン４０１にＳ５０２で設定した電圧のパターンに対応する駆動維持電圧Ｖｋを与えることにより、ファン４０１の駆動を維持させる（Ｓ５０６）。
【００９４】
次に、Ｓ５０６でファン４０１に与えた駆動維持電圧Ｖｋにより、ファン４０１が回転しているか否かを判断する（Ｓ５０７）。Ｓ５０７でファン４０１が回転していると判断された場合、Ｓ５０８に移行する。Ｓ５０７でファン４０１が回転していないと判断された場合、Ｓ５１０に移行する。
【００９５】
Ｓ５０７でファン４０１が回転していると判断された場合、ｐの値をＳ５０７でファン４０１が回転していると判断されたときのｐ値に設定するとともに、Ｖｓ及びＶｋの値を図１２でそのｐに対応するＶｓ及びＶｋの値に設定する（Ｓ５０８）。
【００９６】
次に、ファン４０１に与えていた電圧を０とすることにより、ファン４０１の駆動を停止させる（Ｓ５０９）。
【００９７】
Ｓ５０４又はＳ５０７でファン４０１が回転していないと判断された場合、ｎの値をインクリメントする（Ｓ５１０）。
【００９８】
次に、Ｓ５１０でインクリメントした後のｎの値が１５以下であるか否かを判断する（Ｓ５１１）。Ｓ５１１でｎの値が１５以下であると判断された場合、Ｓ５０２に移行する。Ｓ５１１でｎの値が１５以下でないと判断された場合、Ｓ５１２に移行する。
【００９９】
Ｓ５１１でｎの値が１５以下でないと判断された場合、ユーザーに対して、ファンが駆動できない旨のエラーを通知する（Ｓ５１２）。Ｓ５１２の後、Ｓ５０９に移行する。
【０１００】
本実施形態により、ファンの駆動開始電圧や駆動維持電圧を、ファンの個体差や経年変化に応じて適切に設定することが可能となる。
【０１０１】
また、本実施形態により、ファンの駆動開始電圧や駆動維持電圧を、別々に設定する場合より簡単に設定することが可能となる。
【図面の簡単な説明】
【０１０２】
【図１】システムの構成を示す図
【図２】プリンタ１０２の構成を示すブロック図
【図３】制御部２０１の詳細を示すブロック図
【図４】送風部２０５の詳細を示す図
【図５】トランジスタ４０６，４０８，４１０のオンオフの組み合わせとファン４０１に与えられる電圧との対応を示す図
【図６】プリンタ１０２の制御を示すフローチャート
【図７】Ｖｓの設定Ｓ１１２の詳細を示すフローチャート
【図８】Ｖｋの設定Ｓ１１３の詳細を示すフローチャート
【図９】プリンタ１０２の制御とファンに与えられる電圧及びファンから検出されるロック信号との関係を示すタイムチャート
【図１０】プリンタ１０２の制御を示すフローチャート
【図１１】ｐの設定Ｓ４１２の詳細を示すフローチャート
【図１２】トランジスタに与える駆動電圧パターンｐと駆動開始電圧Ｖｓ，駆動維持電圧Ｖｋの組み合わせとの対応を示す図
【図１３】印刷部２０４の詳細とファン４０１の取付位置を示す断面図
【符号の説明】
【０１０３】
１０１  ＰＣ
１０２  プリンタ
１０３  ネットワーク
２０１  制御部
２０２  操作部
２０３  読取部
２０４  印刷部
２０５  送風部
３０１  ＣＰＵ
３０２  ＲＯＭ
３０３  ＲＡＭ
３０４  ＨＤＤ
３０５  イメージプロセッサ
３０６  イメージメモリ
３０７  ネットワークインターフェース
４０１  ファン
４０２  トランジスタ
４０３  出力可変レギュレータ
４０４  抵抗
４０５  抵抗
４０６  トランジスタ
４０７  抵抗
４０８  トランジスタ
４０９  抵抗
４１０  トランジスタ
４１１  抵抗
４１２  ロック信号
４１３  接続線
４１４  接続線
４１５  接続線
４１６  接続線
４１７  接続線
４１８  接続線
５０１  感光体
５０２  帯電部
５０３  露光部
５０４  現像部
５０５  定着部
５０６  給紙トレイ
５０７  給紙ローラー
５０８  搬送ローラー
５０９  排紙ローラー
５１０  排紙トレイ
【図１】
2010102102.tif 000003
【図２】
2010102102.tif 000004
【図３】
2010102102.tif 000005
【図４】
2010102102.tif 000006
【図５】
2010102102.tif 000007
【図６】
2010102102.tif 000008
【図７】
2010102102.tif 000009
【図８】
2010102102.tif 000010
【図９】
2010102102.tif 000011
【図１０】
2010102102.tif 000012
【図１１】
2010102102.tif 000013
【図１２】
2010102102.tif 000014
【図１３】
2010102102.tif 000015